(57)【特許請求の範囲】
【請求項１】
底壁と両側壁とで上面が開口したワイヤハーネス挿通部を囲み、前記上面の開口を閉鎖する蓋を設けていない樹脂製のプロテクタであって、
前記ワイヤハーネス挿通部として、長さ方向に貫通して該長さ方向の両端が開口する幹線挿通部と、該幹線挿通部の長さ方向の中間位置の一側壁または両側壁に設けられた分岐線引出口の周縁から突出する分岐線挿通部を備え、
前記分岐線挿通部は、前記分岐線引出口の左右両側で前記幹線挿通部の側壁と前記分岐線挿通部の側壁とが屈曲境界部を介して連続し、該屈曲境界部に上端より高さ方向の中間位置までスリット状の分離用の切込を入れており、
かつ、前記幹線挿通部および前記分岐線挿通部のそれぞれ対向する前記両側壁には、一方の側壁の上端から係止爪を突設すると共に、他方の側壁の対向位置に前記係止爪が挿入係止できる係止穴を設け、これら係止爪と係止穴とはそれぞれ長さ方向に間隔をあけて設け、
前記幹線挿通部に幹線、分岐線挿通部に分岐線を通した後に、前記幹線挿通部の両側壁および分岐線挿通部の両側壁を上端が互いに近接するように倒して前記係止爪を係止穴に挿入係止して、前記幹線挿通部および分岐線挿通部の上面の開口を閉鎖して該幹線挿通部および分岐線挿通部に挿通したワイヤハーネスの全体を蓋無しで覆う構成としているワイヤハーネス用のプロテクタ。
【請求項２】
前記幹線挿通部および分岐線挿通部はそれぞれ断面Ｕ字状または半円環状として前記底壁を円弧形状とし、
前記幹線挿通部から分岐線挿通部がＴ字状または十字状に分岐している請求項１に記載のワイヤハーネス用のプロテクタ。
【請求項３】
前記係止穴の下縁に沿ってリブを前記側壁の内面に突設している請求項１または請求項２に記載のワイヤハーネス用のプロタクタ。
【請求項４】
前記係止穴に挿入係止する係止爪は、前記側壁上端から突出する突出部の先端に折り返し状にステムが連続するＶ字形状とし、前記係止穴を通す時はステムを撓ませ角度を狭め、挿通後はステムが元に戻って広げられ、係止穴から外れない形状としている請求項１乃至請求項３のいずれか１項に記載のワイヤハーネス用のプロテクタ。
【請求項５】
前記係止穴は長穴とし、該係止穴の両側に肉盛りした保護部を突設し、該保護部で前記ステムの両側を挟む構成としている請求項４に記載のワイヤハーネス用のプロテクタ。
【請求項６】
前記係止爪が設けられる一方の側壁と前記係止穴が設けられる他方の側壁の頂点をほぼ同一平面上に設けている請求項１乃至請求項５のいずれか１項に記載のワイヤハーネス用のプロテクタ。
【請求項７】
前記分岐線挿通部を挟む幹線挿通部の両側の底壁と分岐線挿通部の底壁のそれぞれ幅方向の中央部に１つの治具貫通穴を設け、前記合計３カ所に設けた３個の治具貫通穴にそれぞれ治具の中心軸部を通すことができる構成としている請求項１乃至請求項６のいずれか１項に記載のワイヤハーネス用のプロテクタ。
【発明の詳細な説明】
【技術分野】
【０００１】
本発明はワイヤハーネス用のプロテクタに関し、詳しくは、自動車に配索するワイヤハーネスを保護すると共に経路規制するためにワイヤハーネスに外装する樹脂成形品からなるプロテクタで、特に、プロテクタの分岐部の開口を閉鎖して保護できるようにするものである。
【背景技術】
【０００２】
この種のワイヤハーネス用のプロテクタは、樋形状のプロテクタ本体にワイヤハーネスを挿通した後に蓋をかぶせて閉鎖している。また、実開平６−６６２３３号で、図１４（Ａ）（Ｂ）に示すようにプロテクタ本体１００にワイヤハーネスＷ／Ｈを挿通した後に、プロテクタ本体１００の外周面にテープ１０１を巻き付けてプロテクタ本体１００の上面開口１００ａからワイヤハーネスＷ／Ｈが脱落しないように保持している。其の際、プロテクタ本体１００の両側壁に切り込みを入れて可撓性を持たせた薄肉壁１００ｂ、１００ｃを設けておき、該薄肉壁１００ｂ、１００ｃにテープ１０１を巻き付け、薄肉壁１００ｂ、１００ｃをワイヤハーネスＷ／Ｈの上面に密着させてワイヤハーネスをガタつきなく保持している。
【０００３】
前記図１４に示すプロテクタは、ワイヤハーネスＷ／Ｈを直線状に挿通するものであるが、図１５（Ａ）（Ｂ）に示すように、プロテクタ内でワイヤハーネスを幹線Ｗ／Ｈ−Ａから枝線Ｗ／Ｈ−Ｂに分岐する場合がある。この場合、プロテクタ１２０の本体１２１をＴ字形状に成形し、幹線挿通部１２１ａから枝線挿通部１２１ｂが分岐した形状に一体成形している。かつ、本体１２１に被せる蓋１２２を薄肉ヒンジ部１２３を介して一体的に設け、該蓋１２２を本体１２１と略対称形状に設けている。
【０００４】
前記図１５に示すプロテクタ１２０では、本体１２１にワイヤハーネスを挿通した後、蓋１２２を回転させて本体１２１の上面開口を閉鎖し、蓋１２２に設けたロック爪１２２ｒを本体１２１に設けたロック枠１２１ｒに係止してロック結合している。
【先行技術文献】
【特許文献】
【０００５】
【特許文献１】実開平６−６６２３３号
【発明の概要】
【発明が解決しようとする課題】
【０００６】
前記したプロテクタへの挿通位置でワイヤハーネスを分岐させる必要がある場合は、図１５に示す形状のプロテクタとする必要がある。しかしながら、前記のように、本体１２１と蓋１２２とを薄肉ヒンジ部１２３を介して一体成形すると、金型作製費がかかりコスト高になる問題がある。
【０００７】
一方、前記図１４に示すように、蓋を設けずに、テープ巻きする場合は、蓋を設ける場合よりはコスト低下を図ることができる。
しかしながら、プロテクタ本体を分岐部を有するＴ字形状あるいは十字形状とした場合、図１６に示すように、直線状の幹線挿通部１２１ａの外周をテープ１０１で巻いても幹線挿通部１２１ａの周壁が枝線挿通部１２１ｂと分岐位置Ｂで連続するため、幹線挿通部１２１ａの対向する両側壁を互いに近接するように倒す事ができない。よって、プロテクタ内に挿通するワイヤハーネスＷ／Ｈの保護機能が低下し、かつ、プロテクタ内部でワイヤハーネスのガタつきが発生しやすい問題がある。
【０００８】
本発明は前記問題に鑑みてなされたもので、分岐部を有するプロテクタにおいて、蓋を設けずに、プロテクタ本体の上面開口を簡単に閉鎖できるようにして、プロテクタのコスト低減を図ることを課題としている。
【課題を解決するための手段】
【０００９】
前記課題を解決するため、本発明は、底壁と両側壁とで上面が開口したワイヤハーネス挿通部を囲み、前記上面の開口を閉鎖する蓋を設けていない樹脂製のプロテクタであって、
前記ワイヤハーネス挿通部として、長さ方向に貫通して該長さ方向の両端が開口する幹線挿通部と、該幹線挿通部の長さ方向の中間位置の一側壁または両側壁に設けられた分岐線引出口の周縁から突出する分岐線挿通部を備え、
前記分岐線挿通部は、前記分岐線引出口の左右両側で前記幹線挿通部の側壁と前記分岐線挿通部の側壁とが屈曲境界部を介して連続し、該屈曲境界部に上端より高さ方向の中間位置までスリット状の分離用の切込を入れており、
かつ、前記幹線挿通部および前記分岐線挿通部のそれぞれ対向する前記両側壁には、一方の側壁の上端から係止爪を突設すると共に、他方の側壁の対向位置に前記係止爪が挿入係止できる係止穴を設け、これら係止爪と係止穴とはそれぞれ長さ方向に間隔をあけて設け、
前記幹線挿通部に幹線、分岐線挿通部に分岐線を通した後に、前記幹線挿通部の両側壁および分岐線挿通部の両側壁を上端が互いに近接するように倒して前記係止爪を係止穴に挿入係止して、前記幹線挿通部および分岐線挿通部の上面の開口を閉鎖し、該幹線挿通部および分岐線挿通部に挿通したワイヤハーネスの全体を蓋無しで覆う構成としているワイヤハーネス用のプロテクタを提供している。
【００１０】
前記のように、分岐線挿通部が幹線挿通部より分岐するプロテクタであっても、分岐線引出口の両側の屈曲境界部に上端から中間位置までスリット状の分離用の切込を入れて幹線挿通部の側壁と分離しやすくしているため、幹線挿通部および分岐線挿通部の両側壁の上端が互いに近接するように倒すことができる。よって、両側壁の上端を近接させて係止爪を係止穴に挿入係止でき、両側壁の上端を結合して幹線挿通部および分岐線挿通部の上端を閉鎖できる。このように、幹線挿通部および分岐線挿通部の上面開口を閉鎖でき、蓋を設けなくとも、プロテクタに挿通したワイヤハーネスを保護することができ、プロテクタの生産コストを低減できる。かつ、プロテクタにワイヤハーネスを挿通した後にテープ巻きしてワイヤハーネスを保護する必要もないため、テープを不要とでき、かつ、テープ巻き作業も不要にできる。  
【００１１】
前記のように、分岐線引出口の左右両側では前記幹線挿通部の側壁と前記分岐線挿通部の側壁とが屈曲境界部を介して連続し、該屈曲境界部にスリット状とした分離用の前記切込を設けている。前記切込の深さは側壁上端から側壁の高さ方向の中間程度の位置まででよい。
【００１２】
前記プロテクタの幹線挿通部および分岐線挿通部はいずれもＵ字状あるいは半円環状とし、底面を円弧状として両側壁に連続させ、両側壁を倒れやすくすることが好ましい。
【００１４】
前記係止穴の下縁に沿って、係止穴より長いリブを側壁の内面に突設することが好ましい。
かつ、該リブは係止穴より長く延在させることが好ましい。
前記リブを設けると、対向側の係止爪をリブの上面に沿わせて押し込むと係止穴にスムーズに挿入係止できる。かつ、係止爪がリブより下方に押し込まれて電線群の中に係止爪が潜り込んで係止困難となるのを防止できる。
【００１５】
前記リブは幹線挿通部あるいは／および分岐線挿通部の側壁内面から突出するため、これらの挿通部の内部に電線を挿通する際に邪魔にならないものとする必要がある。よって、側壁内面からのリブの突出量は５ｍｍ以下、または５ｍｍ以上とすると上方から電線が押し込まれた時に下向きに撓むようにすることが好ましい。
【００１６】
前記係止穴に挿入係止する係止爪は、前記側壁上端から突出する突出部の先端に折り返し状にステムが連続するＶ字形状とし、前記係止穴を通す時はステムを撓ませ角度を狭め、挿通後はステムが元に戻って広げられ、係止穴から外れない形状としていることが好ましい。
このように、係止爪と係止穴との係止状態で、外圧がかかっても係止が外れず、強固な係止ができる構成とすることが好ましい。
【００１７】
前記係止穴は長穴とし、該係止穴の両側に肉盛りした保護部を突設し、該保護部で前記ステムの両側を挟む構成とすることが好ましい。該構成とすると、係止爪に外部干渉材が干渉して係止が外れるのを確実に防止できる。
【００１８】
さらに、前記係止爪が設けられる一方の側壁と前記係止穴が設けられる他方の側壁の頂点をほぼ同一平面上に設けていることが好ましい。該構成とすると、容易に閉止作業を行うことができる。
【００１９】
本発明のプロテクタは、ワイヤハーネスを組立作業台（所謂、図板）上で組み立てる時、組立作業台に立設した治具で保持しておき、該プロテクタ内にワイヤハーネスを構成する電線を挿通し、其の際、幹線は幹線挿通部に、枝線は分岐線挿通部に通し、電線を挿通後に、プロテクタの前記係止爪を係止穴に挿入係止して、プロテクタを外装した状態でワイヤハーネスを組み立てている。
【００２０】
前記組立作業台に立設した治具でプロテクタを保持する時に、該プロテクタを確実に位置決め保持するため、プロテクタの分岐線挿通部を挟む幹線挿通部の両側の底壁と分岐線挿通部の底壁のそれぞれ幅方向の中央部に１つの治具貫通穴を設け、前記合計３カ所に設けた３つの治具貫通穴にそれぞれ治具の中心軸部を通すことができる構成としていることが好ましい。
なお、幹線挿通部および分岐線挿通部が長い場合には、底壁に間隔をあけて治具貫通穴を設けてもよいが、前記のように、少なくとも三角形の頂点位置の３カ所に治具を貫通させておくとプロテクタを確実に位置決め保持できる。
このように、プロテクタの底壁に設けた治具貫通穴に治具の中心軸部を貫通して支持するとプロテクタの回転や幹線方向の移動を確実に阻止でき、プロテクタをＵ字状治具のみで支持する場合に発生する恐れがあるプロテクタの回転や移動を防止でき、プロテクタ内に挿通する電線のバラツキ発生を阻止できる。
【００２１】
前記プロテクタの底壁の治具貫通穴に中心軸部を貫通させる治具は、治具貫通穴より大径とした保持部の中心から前記中心軸部のみを突設した治具とし、該中心軸部を不要時に下降させるタイプでも良いし、屈折して倒伏させるタイプでもよい。プロテクタが大型の場合は前記治具とプロテクタを外嵌保持するＵ字治具を併用してもよい。
さらに、Ｕ字治具の底部中心から中心軸部を突設し、プロテクタの外嵌も兼ねる治具でもよい。
【００２２】
また、前記のように、プロテクタの底壁の治具貫通穴を設けて治具を通す場合、底壁を挟む両側壁の上端を閉鎖する時、閉鎖する上端より治具の中心軸部を突出させる切欠を両側壁の上端に設けることが好ましい。
【発明の効果】
【００２３】
上述したように、本発明に係わるプロテクタでは、分岐線引出口を挟む位置の側壁に上端からスリット状の分離用の切込を設け、幹線挿通部の側壁を分岐線挿通部の側壁と分離して、幹線挿通部の側壁および分岐線挿通部の側壁を変位させやすくしている。よって、無理なく、前記側壁を互いに近接する方向に倒して係止爪を係止穴に挿入係止することができる。これにより、プロテクタの上面開口を閉鎖してワイヤハーネスを脱落することなく保護できる。かつ、蓋を不要としているためにプロテクタのコストを低減でき、かつ、テープ巻きも不要としているため、テープのコスト及び作業手数を低減できる。
【図面の簡単な説明】
【００２４】
【図１】本発明のプロテクタの第１実施形態の斜視図である。
【図２】図１のプロテクタの正面図である。
【図３】係止爪を示し、（Ａ）は斜視図、（Ｂ）は係止穴に挿入する状態を示す斜視図、（Ｃ）は係止穴に係止爪を挿入した後の説明図である。
【図４】前記プロテクタへのワイヤハーネスの挿通状態を示す斜視図である。
【図５】係止爪を係止穴に挿入係止する作業の説明図である。
【図６】ワイヤハーネス挿通後にプロテクタの上面開口を閉鎖した状態を示す斜視図である。
【図７】変形例を示し、（Ａ）は全体側面図、（Ｂ）は要部拡大斜視図である。
【図８】前記変形例において、係止爪を係止穴に挿入係止する作業の説明図である。
【図９】参考第２実施形態の概略平面図である。
【図１０】第３実施形態を示し、（Ａ）は斜視図、（Ｂ）は要部断面図である。
【図１１】（Ａ）（Ｂ）は第３実施形態の作用説明図、（Ｃ）はリブの変形例を示す断面図である。
【図１２】第４実施形態を示し、（Ａ）はプロテクタの斜視図、（Ｂ）は組立作業台上でプロテクタを保持する状態を示す斜視図、（Ｃ）はプロテクタに電線群を挿通した後に両側壁を倒して閉鎖する状態を示す斜視図である。
【図１３】（Ａ）は第４実施形態で用いる治具を示す斜視図、（Ｂ）は治具の変形例を示す斜視図である。
【図１４】（Ａ）（Ｂ）は従来例を示す図面である。
【図１５】（Ａ）（Ｂ）は他の従来例を示す図面である。
【図１６】従来の問題点の説明図である。
【発明を実施するための形態】
【００２５】
以下、本発明のプロテクタの実施形態を図面を参照して説明する。
図１乃至図６に第１実施形態のプロテクタを示す。
プロテクタ１は樹脂成形品からなり、略Ｔ字状で、幹線挿通部２の長さ方向の中間部の一側壁より分岐線挿通部３が分岐した形状である。
【００２６】
幹線挿通部２および分岐線挿通部３はいずれも断面Ｕ字状とし、幹線挿通部２は底壁１０と両側の側壁１１、１２を有し、上面は開口１３であり、長さ方向の両端も開口１４、１５である。分岐線挿通部３も底壁２１、両側壁２２、２３を有し、上面は開口２４であり、先端も開口２５である。
【００２７】
前記幹線挿通部２の一方の側壁１１の中間部に上端から底壁にかけて分岐線引出口２０を設け、該分岐線引出口２０の周縁から前記分岐線挿通部３の底壁２１、側壁２２、２３を突設している。
詳細には、幹線挿通部２の分岐線引出口２０を挟む一方の側壁１１ａと分岐線挿通部３の側壁２３は屈曲境界部２６を介して連続し、他方の側壁１１ｂは側壁２２と屈曲境界部２７を介して連続する。この分岐線引出口２０を挟む左右の屈曲境界部２６、２７にそれぞれ上端からスリット状の切込１７、１８を高さ方向の中間位置まで形成している。このスリット状の切込１７、１８を設けていることにより、幹線挿通部２の側壁１１（１１ａ、１１ｂ）と分岐線挿通部３の側壁２２、２３とは独立して傾斜させることができるようにしている。
【００２８】
また、幹線挿通部２の側壁１１（１１ａ、１１ｂ）には、分岐線引出口２０の左右両端からそれぞれ所要寸法離れた位置に、側壁１１の上端に係止爪５（５Ａ、５Ｂ）を突設する一方、側壁１２の上端近傍には係止爪５Ａ、５Ｂがそれぞれ係止する係止穴６（６Ａ、６Ｂ）を穿設している。
分岐線挿通部３の側壁２２の上端にも前記係止爪５と同一形状の係止爪８を突設し、側壁２３に前記係止穴６と同一形状の係止穴９を穿設している。
【００２９】
前記係止爪５の形状は、図３（Ａ）に示すように略Ｖ形状とし、一辺側の基部５ａが側壁１１の上端から対向する側壁１２側に向けて傾斜して突出し、該基部５ａの突出端から他辺側のステム５ｂが折り返し状に突出している。前記係止爪８も同一形状としている。  該係止爪５は、係止穴６に挿入する際、図３（Ｂ）に示すように、Ｖ形状の基部５ａとステム５ｂとの角度αが小さくなるようにステム５ｂが撓む。係止穴６を通過後は、図３（Ｃ）に示すようにステム５ｂが開いて原状に戻る。これにより、係止爪５は係止穴６から抜けないように係止できる。
【００３０】
また、係止爪５を設けた側壁１１の頂点５ｐと係止穴６を設ける側壁１２の頂点６ｐとは同一平面上に位置させている。該構成とすることで、係止爪５を係止穴６へ挿入係止する閉止作業を容易としている。
【００３１】
次ぎに、ワイヤハーネスへの前記プロテクタ１の取付工程について説明する。
前記プロテクタ１はワイヤハーネス組立作業台（図示せず）に立設した支持治具で支持して電線の布線経路に沿って配置しておく。
図４に示すように、ワイヤハーネスＷ／Ｈを構成する電線ｗを順次布線治具にとおして布線し、プロテクタ１では、入口側の開口１４から幹線挿通部２に挿入した電線のうち、幹線の電線ｗ−１は開口１５から引き出している。分岐線の電線ｗ−２は分岐線引出口２０から分岐線挿通部に通し、先端の開口２５から引き出している。
【００３２】
電線群の布線終了後、図５に示すように、プロテクタ１の幹線挿通部２では、側壁１１を側壁１２側へと上端側から傾斜させる。其の際、分岐線挿通部３が分岐している側壁１１側において、切込１７、１８で分岐線挿通部３の側壁２２、２３と分断されているため、側壁１１の両側壁１１ａ、１１ｂを側壁１２に向けて無理なく傾斜させることができる。よって、側壁１１ａ、１１ｂの上端に突設した係止爪５Ａ、５Ｂをそれぞれ側壁１２の係止穴６Ａ、６Ｂに挿入係止できる。該係止爪５Ａと係止穴６Ａ、係止爪５Ｂと係止穴６Ｂの挿入係止は前記図５（Ｂ）に示すように、強固に係止できるものとしている。
分岐線挿通部３も、その側壁２２、２３が切込１７、１８で側壁１１と分断されているため、側壁２２、２３を上端から互いに近接する方向に傾斜させて、係止爪８を係止穴９に挿入係止することができる。
【００３３】
これにより、図６に示すように、幹線挿通部２の上面の開口１３は両側壁１１と１２との上端を互いに係止することで閉鎖される。同様に、分岐線挿通部３の上面の開口２４も両側壁２２、２３の上端を互いに係止することで閉鎖される。  
【００３４】
このように、ワイヤハーネス組立作業台上で治具にプロテクタを搭載した状態でプロテクタ内にワイヤハーネスの幹線および分岐線を分岐して挿通でき、しかも、挿通後に、幹線挿通部２及び分岐線挿通部３の上面開口を閉鎖して、ワイヤハーネスへのプロテクタの外装を完了することができる。
【００３５】
図７および図８に係止爪と係止穴との係止機構の変形例を示す。
長穴からなる係止穴６（９）を形成した側壁１２（２３）の外面に、係止穴６の両側に肉盛りした保護部３３Ａ、３３Ｂを突設している。
係止爪５（８）は前実施形態と同様なＶ形状とし、該係止爪５の基部５ａは係止穴６を通し、基部５ａの先端に連続するステム５ｂが側壁１２の外面に当接する。図８（Ｂ）に示すように、ステム５ｂの両側を前記保護部３３Ａ、３３Ｂで挟んで、ステム５ｂに外部材が干渉しないようにしている。保護部３３Ａ、３３Ｂは直方体形状としてもよいが、図７（Ｂ）に示すように、台形状とすることが好ましい。
【００３６】
図９に参考第２実施形態のプロテクタを示す。
該プロテクタでは、幹線挿通部２の両側壁１１、１２に分岐線引出口２０−１、２０−２を設け、各周縁から分岐線挿通部３−１、３−２を分岐させた十字形状のプロテクタとしている。
前記分岐線引出口２０−１、２０−２の周縁の分岐線挿通部３−１、３−２の両側壁にそれぞれ切込１７−１、１８−１、１７−２、１８−２を設けている。
【００３７】
前記幹線挿通部２の両側壁１１、１２には第１実施形態と同様に係止爪５Ａ、５Ｂと係止穴６Ａ、６Ｂとを設けている。一方、両側の分岐線挿通部３−１、３−２は長さ３０ｍｍ〜３５ｍｍと比較的短く、かつ、その先端部の外周面から分岐線の外周面にかけて粘着テープを巻き付けて分岐線と固着するため、上面開口が狭められると共に上面開口の長さ方向の半分程度が粘着テープで閉鎖されるため、両側の分岐線挿通部３−１、３−２の両側壁には係止爪と係止穴とを設けていない。
【００３８】
該プロテクタにおいても、幹線挿通部２の上面開口は両側壁１１と１２とを互いに係止することにより閉鎖できる。よって、第１実施形態と同様に、蓋およびテープ巻きを不要にでき、コスト削減を図ることができる。
【００３９】
図１０および図１１に第３実施形態を示す。
第３実施形態のプロテクタ１は、幹線挿通部２の係止穴６Ａ、６Ｂを設けた側壁１２の内面、分岐線挿通部３の係止穴９を設けた側壁２３の内面に、係止穴６Ａ、６Ｂ、９の下縁に沿ってリブ４０を突設している。他の構成は第１実施形態のプロテクタと同様であるため説明を省略する。
【００４０】
前記リブ４０の長さは係止穴６Ａ、６Ｂ、９より長くし、かつ、側壁１２、２３の内面からの突出量Ｈは５ｍｍ程度としている。
【００４１】
前記のようにリブ４０を設けると、対向位置の係止爪５Ａ  ５Ｂ、８を係止穴６Ａ、６Ｂ、９にそれぞれ挿入しようとする時、図１１（Ａ）に示すように、係止爪５Ａ、５Ｂ、８を各リブ４０の上面に添わせると、スムーズに係止穴６Ａ、６Ｂ、９に挿入することができる。かつ、図１１（Ｂ）に示すように、係止爪５Ａ、５Ｂ、８がリブ４０を越えて下方へ押し込まれ、挿入されたワイヤハーネスＷ／Ｈの電線群の中に潜り込んでしまう事態が発生するのを防止できる。よって、係止爪による電線の損傷発生を防止できる。
【００４２】
なお、リブ４０の突出量Ｈを大きくする程、係止爪５Ａ、５Ｂ、８の下方への押し込みを防止できるが、突出量Ｈを大とするとワイヤハーネスＷ／Ｈの電線挿入時にリブ４０が邪魔になる。よって、突出量Ｈを５ｍｍをこえて大とする場合には、図１１（Ｃ）に示すように、リブ４０の突出側を若干下向きとし、かつ、上方から押し込まれる電線と接触すると下向きに傾斜するような可撓性を持たせている。
【００４３】
図１２および図１３に第４実施形態を示す。
第４実施形態のプロテクタ１は、組立作業台に立設した治具でプロテクタ１を保持し、該プロテクタ１に電線群を挿通する時に、プロテクタ１を回転および移動させずに所定位置に確実に位置決め保持できるようにしている。
【００４４】
図１２（Ａ）に示すように、プロテクタ１の分岐線挿通部３を挟む幹線挿通部２の両側の底壁１０と分岐線挿通部３の底壁のそれぞれ幅方向の中央部に治具貫通穴５１、５２、５３を設けている。これら合計３カ所に設けた治具貫通穴５１、５２、５３は三角形の頂点位置にある。
また、治具貫通穴５１、５２、５３を挟む両側壁１１と１２、２２と２３には上端から切欠５５Ａと５５Ｂ、５６Ａと５６Ｂ、５７Ａと５７Ｂを設けている。プロテクタ１の他の構成は第１実施形態と同様であり、同一符号を付して説明を省略する。
【００４５】
ワイヤハーネスを組み立てる作業台６０にプロテクタ位置決め治具６２を立設している。図１３（Ａ）に示すように、治具６２は前記プロテクタ１の底壁の各治具貫通穴５１〜５３に貫通させるのに中心軸部６２ａを保持部６２ｂの中心から突設し、該保持部６２ｂは治具貫通穴５１〜５３の穴径より大としている。保持部６２ｂを前記作業台６０に起伏自在に取り付けて設けた支持部６２ｃの上端に設けた形状としている。
【００４６】
図１２（Ｂ）に示すように、前記治具６２を作業台６０の上面から起立させ、中心軸部６２ａをプロテクタ１の治具貫通穴５１、５２、５３にそれぞれ貫通させ、保持部６２ｂで保持する。治具貫通穴５１、５２、５３をそれぞれ貫通した中心軸部６２ａはプロテクタ１の内部を通って側壁の上端より上方に突出する。
これにより、プロテクタ１は治具６２で３箇所で位置決めされ、作業台６０上で回転したり、幹線挿通部が移動するのを確実に保持することができる。
【００４７】
図１２（Ｃ）に示すように、プロテクタ１内に電線群を挿通した後に、幹線挿通部２の両側壁１１、１２を両端が当接するように傾斜させる時、治具６２の中心軸部６２ａが側壁の上端に設けた切欠５５Ａと５５Ｂ、５６Ａと５６Ｂ、５７Ａと５７Ｂの各間を通して突出する。これにより、プロテクタ１の両側壁を閉鎖した状態で、プロテクタ１を上方へ引き出すことができる。
【００４８】
作業台６０上でプロテクタ１を保持する治具は前記治具６２に限定されず、例えば、図１３（Ｂ）に示すように、Ｕ治具のＵ字受け部６２ｄの底部中心から中心軸部６２ａを設けた治具でもよい。プロテクタ１が大型であると、Ｕ字受け部６２ｄでプロテクタを外嵌保持でき、より安定してプロテクタ１を保持しプロテクタ１へのワイヤハーネスの組みつけ精度を高めることができる。
【符号の説明】
【００４９】
１  プロテクタ
２  幹線挿通部
３  分岐線挿通部
５、８  係止爪
６、９  係止穴
１１、１２、２２、２３  側壁
１７、１８  切込
２０  分岐線引出口
４０  リブ
５１〜５３  治具貫通穴
６０  作業台
６２  治具
【図１】
0005609701.tif 000002
【図２】
0005609701.tif 000003
【図３】
0005609701.tif 000004
【図４】
0005609701.tif 000005
【図５】
0005609701.tif 000006
【図６】
0005609701.tif 000007
【図７】
0005609701.tif 000008
【図８】
0005609701.tif 000009
【図９】
0005609701.tif 000010
【図１０】
0005609701.tif 000011
【図１１】
0005609701.tif 000012
【図１２】
0005609701.tif 000013
【図１３】
0005609701.tif 000014
【図１４】
0005609701.tif 000015
【図１５】
0005609701.tif 000016
【図１６】
0005609701.tif 000017